(57)【要約】【課題】  光学装置を用いず、手動入力操作により特殊景品の種類と個数に応じて、顧客に対する最終的な支払金額をスピーディに計算可能とする。【解決手段】  購入対象となる物品の単価を格納した単価データ部１１と、テンキー１４を介して入力した物品の個数に基づき、単価データ部１１を参照して合計の購入金額を算出する買取価格算出部１２と、合計の購入金額から、少なくとも、予め定めた率の消費税分と手数料分とを差し引いて支払金額を算出する減算部１５とを備える装置であって、物品の種別を、単価に応じて三種以上に区別して指定するための手動押圧式の切替スイッ１６チと、この切替スイッチ１６のいずれか一が押圧されたときに、買取価格算出部１２の計算機能を継続させる計算維持部１７とを設けた。手動押圧式の切替スイッチによって物品の種別を切り替えることにより、計算維持部を介して継続的な計算機能が働く。【選択図】    図１
0003137007.tif 000002
【実用新案登録請求の範囲】
【請求項１】
購入対象となる物品の単価を書き換え可能に格納した単価データ部と、
テンキーを介して入力した購入対象となる物品の個数に基づき、前記単価データ部を参照して合計の購入金額を算出する買取価格算出部と、
合計の購入金額から、少なくとも、予め定めた率の消費税分と手数料分とを差し引いて顧客に対する支払金額を算出する減算部とを備える特殊景品の買取計算装置であって、
買い取り対象となる物品の種別を、単価に応じて三種以上に区別して指定するための手動押圧式の切替スイッチと、
この切替スイッチのいずれか一が押圧されたときに、前記買取価格算出部の計算機能を継続させる計算維持部とを設けたことを特徴とする特殊景品の買取計算装置。
【請求項２】
計算維持部は、
計算の維持機能の終了を命ずるスイッチを押圧したときに、買取価格算出部を介して合計の購入金額を算出表示する機能を備えるとともに、
減算部を介して最終的な支払金額を算出表示する機能を備えることを特徴とする請求項１記載の特殊景品の買取計算装置。
【考案の詳細な説明】
【技術分野】
【０００１】
本考案は、パチンコ店における出玉交換で提供される特殊景品を買い取るための装置に係り、とくに特殊景品の買取計算のための装置に関する。
【背景技術】
【０００２】
パチンコ店では、遊技機を使って入賞した出玉を一般景品または特殊景品と交換する。一般景品は、たばこ、菓子、ハンカチなど日用雑貨や食料品などさまざまであるが、特殊景品は、パチンコ店の外にある景品交換所において金銭交換をできる場合がある。
【０００３】
景品交換所における金銭交換は、特殊景品の種別（例えば大中小）に応じて、当該物品（古物）を買い取る。その際、特殊景品の種別と持ち込まれた個数の合計金額を計算した上で、その合計金額から手数料や消費税等を差し引いて、差額分を支払う。
【０００４】
従来、このような計算は、いわゆる卓上計算機を用いることが多かった。しかしながら、持ち込まれた特殊景品の合計金額を算出する分には事務上の問題がないにしても、合計金額から差し引くべき手数料や消費税の計算は煩雑である。このため、卓上計算機を用いた計算事務では払い戻し金額に誤りが生じる等の問題が少なくなかった。
【０００５】
一方、景品交換所における金銭交換の事務処理を単純化するために、バーコードを用いた金銭支払機が提案された（特許文献１）。これは、特殊景品にバーコードを附しておくことにより、バーコードリーダ装置を介して特殊景品の種別と個数を光学的に読み取り、合計金額の計算、手数料等の差し引き金額の計算を単純化させるものである。
【特許文献１】特開２００６−３１２０９１
【考案の開示】
【考案が解決しようとする課題】
【０００６】
問題は、バーコードリーダ装置のような光学装置を用いると、装置コストが嵩む点にある。
【０００７】
また、バーコードシールの汚損による読み取り不能のケースや、バーコードリーダ装置の故障による読み取り不能のケースなど、予期しないトラブルが発生しやすい難点もある。バーコードリーダ装置の機能を常に正常に保つためのメンテナンス、あるいは故障時の復旧・修復作業には相当の費用、時間、煩わしさが伴うのが通例である。
【０００８】
そこで、本考案の目的は、バーコードリーダを用いることなく、いわゆる電卓類似の手動入力操作を前提として、特殊景品の種類と個数に応じて、顧客に対する最終的な支払金額をスピーディに計算可能とする点にある。
【課題を解決するための手段】
【０００９】
前記目的を達成して、課題を解決するため、請求項１に係る特殊景品の買取計算装置は、購入対象となる物品の単価を書き換え可能に格納した単価データ部と、テンキー（テンキースイッチ）を介して入力した購入対象となる物品の個数に基づき、前記単価データ部を参照して合計の購入金額を算出する買取価格算出部と、合計の購入金額から、少なくとも、予め定めた率の消費税分と手数料分とを差し引いて顧客に対する支払金額を算出する減算部とを備える特殊景品の買取計算装置であって、買い取り対象となる物品の種別を、単価に応じて三種以上に区別して指定するための手動押圧式の切替スイッチと、この切替スイッチのいずれか一が押圧されたときに、前記買取価格算出部の計算機能を継続させる計算維持部とを設けた。
【００１０】
かかる構成によれば、手動押圧式の切替スイッチによって物品の種別を切り替えることにより、計算維持部を介して継続的な計算機能が働く。このため、切替スイッチを押圧した状態では、物品の個数を入力するだけで、買取価格算出部および減算部を介して、それまでに計算した合計の購入金額から、消費税分と手数料分とを差し引いた支払金額を常時算出することが出来る。
【００１１】
請求項２は、計算金額の表示機能に関するものである。計算維持部は、計算の維持機能の終了を命ずるスイッチを押圧したときに、買取価格算出部を介して合計の購入金額を算出表示する機能を備えるとともに、減算部を介して最終的な支払金額を算出表示する機能を備える。
【００１２】
手数料や消費税の金額を差し引いた最終の支払金額の提示（表示）は、計算途中で行っても良い。しかしながら、計算の最終的段階、つまり計算の維持機能の終了を命ずるスイッチを押圧した段階で行うようにすれば、端数計算などの途中経過の処理を単純化でき、最終的に明瞭な支払金額の提示を実行しつつ装置コストをより削減することが出来る。
【考案の効果】
【００１３】
本考案に係る特殊景品の買取計算装置によれば、特殊景品の種類と個数に応じて連続的な計算が可能であり、簡単な手動入力でありながら手数料や消費税を差し引いた最終的な支払金額をスピーディに計算することが出来る。
【考案を実施するための最良の形態】
【００１４】
図１は、本考案に係る特殊景品の買取計算装置の一実施形態を示すものである。１１は、購入対象となる物品の単価を書き換え可能に格納した単価データ部、１２は、買取価格算出部である。この買取価格算出部１２は、テンキー１４を介して入力した物品の個数に基づき、単価データ部１１を参照して合計の購入金額を算出する。
【００１５】
１５は、手数料等を差し引くための減算部である。この減算部１５は、買取価格算出部１２において計算された合計の購入金額から、例えば、予め定めた率の消費税分と手数料分とを差し引いて顧客に対する支払金額を算出する。
【００１６】
差し引くべき計算の率や金額のデータは、予め減算部１５に格納しておき、随時変更可能にしておくことが望ましい。ただし不正な改変を確実に防止する必要があるときは、減算部１５の格納データは差し替え可能な外付けメモリを用いて、改変不能に構成することが望ましい。外付けのメモリを用いれば、封印シールや特殊な暗号データを使うなど安易な改変を精度良く防止する可能性が高まる。
【００１７】
１６は、買い取り対象となる物品の種別を、単価に応じて三種以上、例えば四種類に区別して指定する手動押圧式の切替スイッチである。買取対象となる特殊景品は、概ね三種または四種である場合が多い。このため、実用上は、例えば四種類の押圧式の切替スイッチ１６を用意しておけば、特殊景品の種類を特定できる。
【００１８】
１７は、この切替スイッチ１６のいずれか一が押圧されたときに、前記買取価格算出部１２の計算機能を継続させる計算維持部である。
【００１９】
切替スイッチ１６の押圧操作によって特殊景品の種類を特定すれば、計算維持部１７が機能し続けるので、テンキー１４を介して当該種類の個数の入力を行うことにより、連続的に買取価格の計算を続けてゆくことが出来る。
【００２０】
従って、かかる構成によれば、データ入力をすべて押圧スイッチによって行うことが可能である。切替スイッチ１６のいずれか一を押圧して特殊景品の種類を特定し、テンキー１４を介して個数入力を行えば、手動入力でありながら、買取価格算出部１２および減算部１５を介して最終的な支払金額を正確に顧客に対して提示することができる。
【００２１】
従来装置のように、特殊景品にバーコードシール等の光学的な読み取りを可能とするためのシールを貼付する必要もないし、バーコードリーダのような光学的な読み取り装置を必要としない。このため、装置の製造コストを低減でき、景品交換所において必要となる機材の導入コストやメンテナンス費用等の各種のランニングコストを確実に低減できる。
【００２２】
計算に要する操作が手動入力であるため、景品交換所で働くスタッフが光学装置の取り扱いに不慣れな者、例えば高齢者であっても支障なく事務処理を行うことができる。
【００２３】
また、計算に必要なスイッチ類を押圧式のシンプルなボタンスイッチで構成できるため、バーコードリーダ等、繊細な取り扱いを要する光学装置を用いる場合に較べて、装置の耐久性（装置寿命）も向上させやすい。お茶をこぼしたり、ほこりが付着しても、光学装置に較べてボタンスイッチは故障しにくい特性をもつからである。
【００２４】
なお、テンキー１４を介した個数入力の押し間違いの場合は、テンキー１４の入力を訂正するクリアスイッチ（図示せず）によって、再度の入力を行えばよい。
【００２５】
図２は、本考案に係る特殊景品の買取計算装置の第二の実施形態を示すものである。この買取計算装置は、計算維持部１７の計算の維持機能の終了を命ずる終了スイッチ１７−２を備えるもので、この終了スイッチ１７−２を押圧したときに、最終的な支払金額を顧客に対して提示するようにしたものである。
【００２６】
図１に示した装置との相違は、図１の装置が計算途中の支払価格（または買取価格）を常時表示するのに対して、図２の装置は、終了スイッチ１７−２の押圧を条件として最終的な支払金額を表示する点にある。
【００２７】
顧客に対する金額表示は、計算途中は買取価格としてもよいし、手数料や消費税等を差し引いた支払金額であってもよい。しかしながら、最終的には、購入価格から手数料や消費税等を差し引いた支払金額を提示する。
【００２８】
図１の装置は、表示金額を、購入価格から手数料や消費税等を差し引いた支払金額としておくことにより、計算終了時にも正確な支払金額を提示できる。しかしながら、支払金額に応じて手数料が変わる場合等、一律の計算が難しいこともあるし、また計算途中の表示では消費税の端数計算などで微妙な違いが生ずる場合もある。そこで、例えば図２に示すように、終了スイッチ１７−２の押圧によって最終的な支払金額を表示し、計算の途中経過では買取価格を表示するようにしておけば、装置構成も簡易化できるし、最終的な金額表示（支払金額）に対する顧客の苦情も減らすことができる。
【００２９】
図３は、納品管理部３１と、在庫管理部３３とを設けたものである。本装置は、切替スイッチ１６とテンキー１４を介して特殊景品の買取状況（種別／個数）を記録できる。このため、買取時に残された特殊景品の種別／個数データの記録に基づいて、特殊景品の在庫状態（種類／個数）と納品状態（種類／個数）とを正確に管理することが可能である。
【００３０】
景品交換所は、定期／不定期に、購入した特殊景品を他者に納品する。このときに、納品管理部３１を機能させる手動式の押圧スイッチ（図示せず）を押し、切替スイッチ１６とテンキー１４を介して納品した特殊景品の種別と個数とを記録する。こうしておけば、景品交換所の納品状況を確実に記録することが出来る。
【００３１】
また、在庫管理部３３を機能させる手動式の押圧スイッチ（図示せず）を押すことにより、景品交換所にある特殊景品の種別／個数も正確に表示できる。買取時と納品時の種別／個数のミスがなければ、在庫管理部３３のデータと景品交換所にある種別／個数は正確に一致する。
【００３２】
なお、特殊景品の種類を特定する切替スイッチ１６は、いわゆる押しボタンに限らず、指先の接触によって通電するタッチ式のスイッチであっても良い。タッチ式スイッチも指先による押圧を必要とする。
【図面の簡単な説明】
【００３３】
【図１】第一の実施形態に係る特殊景品の買取計算装置を示すブロック図である。
【図２】第二の実施形態に係る特殊景品の買取計算装置を示すブロック図である。
【図３】第三の実施形態に係る特殊景品の買取計算装置を示すブロック図である。
【符号の説明】
【００３４】
１１  単価データ部
１２  買取価格算出部
１４  テンキー
１５  減算部
１６  切替スイッチ
１７  計算維持部
１７−２  終了スイッチ
３１  納品管理部
３３  在庫管理部
【図１】
0003137007.tif 000003
【図２】
0003137007.tif 000004
【図３】
0003137007.tif 000005